(57)【要約】
【課題】　配送用小冊子化されたカタログやパンフレットを比較的低料金で郵送することができる配送用小冊子を提供する。
【解決手段】　配送用小冊子１０は、カタログやパンフレットなどの情報を印刷したシートとして、表側のシート１２、裏側のシート１３および表・裏側のシート１２，１３間に重ね合わせた複数枚のシート１４を有し、これらのシート１２，１４，１３のそれぞれの綴じ込み辺１２ａ，１４ａ，１３ａ側を綴じ、表側のシート１２と裏側のシート１３とのそれぞれの対面辺１２ｂ，１３ｂを一体的に連接するとともに、この連接した部位１５に表側のシートと裏側のシートとを切離しを可能とする切断開封部として切断用スリット部１６を形成している。
【選択図】　図２
0003099376.tif 000002
【実用新案登録請求の範囲】
【請求項１】
カタログやパンフレットなどの情報を印刷した複数のシートの一辺側を綴じ込むことにより綴じ込み辺を形成し、この複数のシート中、表側のシートと裏側のシートの綴じ込み辺と対面する辺を一体的に連接することにより対面辺を形成し、この対面辺の近傍に表側のシートと裏側のシートの切り離しを可能とする切断開封部を形成したことを特徴とする配送用小冊子。
【請求項２】
前記切断開封部が、切断用スリット部で形成されていることを特徴とする請求項１に記載の配送用小冊子。
【請求項３】
前記切断開封部が、ミシン目で形成されていることを特徴とする請求項１に記載の配送用小冊子。
【考案の詳細な説明】
【技術分野】
【０００１】
　本考案は、配送用小冊子に関し、特にカタログやパンフレットなどの情報を印刷したシートを複数枚重ね合わせ、重ね合わせたシートのそれぞれの一辺側を綴じた配送用小冊子の郵送料金を抑えることができる配送用小冊子に関する。　　
【背景技術】
【０００２】
　従来より、封筒にミシン目を形成し、このミシン目を破いて簡単に開封することができる封筒は知られている（例えば、特許文献１。）。
【特許文献１】実用新案登録番号第２５１０３２３号（第２頁、図１）
【０００３】
　特許文献１の封書によれば、上下端縁のミシン目から上下の耳片を除去し、中央部から切断用スリット部を除去することにより開封することができる。この封書は、近年大量に郵送される傾向にある、カタログやパンフレットなどのダイレクトメールに特に有効に機能する。
【０００４】
　ところで、近年、ダイレクトメールとして郵送するカタログやパンフレットのボリュームが増え、小冊子化される傾向にある。この小冊子化されたカタログやパンフレットは、通常の封筒に入れて郵送する方法が一般的に用いられている。
【考案の開示】
【考案が解決しようとする課題】
【０００５】
　しかし、小冊子化されたカタログやパンフレットを封筒に入れて郵送すると、郵送料金が比較的高くなる。小冊子化されたカタログやパンフレットをダイレクトメールとして大量に郵送する場合には、一冊の小冊子の郵送料金が僅かに高くなるだけでも、全体として郵送にかかる費用は十分に高くなる。
【０００６】
　この考案は、小冊子化されたカタログやパンフレットを比較的低料金で郵送することができる配送用小冊子を提供して、上述した全ての問題点を解消しようとするものである。
【課題を解決するための手段】
【０００７】
　上記目的を達成するために、請求項１記載の考案は、カタログやパンフレットなどの情報を印刷した複数のシートの一辺側を綴じ込むことにより綴じ込み辺を形成し、この複数のシート中、表側のシートと裏側のシートの綴じ込み辺と対面する辺を一体的に連接することにより対面辺を形成し、この対面辺の近傍に表側のシートと裏側のシートの切り離しを可能とする切断開封部を形成したことを特徴とする。
【０００８】
　ここで、小冊子を封筒に入れることで、郵送料金が高くなることに留意し、封筒に小冊子を入れないで郵送可能にすることを検討した。検討の結果、小冊子の表側のシートと裏側のシートとのそれぞれの対面辺を綴じ込むことで、小冊子を封筒に入れることなく郵送できる見通しを得た。
【０００９】
　すなわち、表側のシートと裏側のシートとのそれぞれの対面辺を綴じ込むことで、小冊子を開かないように保ち、その状態で配送用小冊子を封筒に入れることなく、例えば郵送（以下郵政公社による郵便のほか、民間会社による宅配便などの配送も含む）で送ることができる。
【００１０】
　さらに、表側のシートと裏側のシートとの綴じ込んだ部位に、表側のシートと裏側のシートの切り離しを可能とする切断開封部を形成した。このため配送用小冊子を受け取って開いて見る際には、切断開封部を開封するだけで、表側のシートと裏側のシートとのそれぞれの接続されている対面辺を切り離せる。
【００１１】
　請求項２は、前記切断開封部が、切断用スリット部で形成されていることを特徴とする。
【００１２】
　切断開封部を切断用スリット部にすることで、配送用小冊子を開く際には切断開封部を簡単に破くことができる。
【００１３】
　請求項３は、前記切断開封部が、ミシン目で形成されていることを特徴とする。
【００１４】
　切断開封部をミシン目にすることで、配送用小冊子を開く際には切断開封部を簡単に破くことができる。
【考案の効果】
【００１５】
　以上述べたように、請求項１による配送用小冊子によれば、表側のシートと裏側のシートとのそれぞれの一辺側を綴じ込み辺となし、これにより配送用小冊子をむやみに開かないように保ち、対面辺を一体的に連接し、対面辺の近傍に切断開封部を形成したので、配送用小冊子自体が封筒の構成となり、この小冊子を封筒に入れることなく、例えば宅配便などで、郵送することが可能になる。このため、郵送料金を減らすことができる。
【００１６】
　また配送用小冊子を受け取った際には、切断開封部を開封するだけで、表側のシートと裏側のシートとのそれぞれの対面辺を切り離すことができ、配送用小冊子を簡単に開いて、カタログやパンフレットを気軽に見られる。
【００１７】
　請求項２は、切断開封部を切断用スリット部にすることで、配送用小冊子を開く際には、ハサミなどの切断手段を用いなくても切断開封部を簡単に破くことができる。
【００１８】
　請求項３は、切断開封部をミシン目にすることで、配送用小冊子を開く際には、ハサミなどの切断手段を用いなくても切断開封部を簡単に破くことができる。
【考案を実施するための最良の形態】
【００１９】
　以下添付図面に基づいて、本考案に係る配送用小冊子の実施例を詳説する。
　図１は本考案に係る実施例１の配送用小冊子を示す斜視図、図２は本考案に係る実施例１の配送用小冊子を開封する例を示す斜視図、図３は本考案に係る実施例１の配送用小冊子を開いた状態を示す斜視図である。
【実施例１】
【００２０】
　図１に示すように、実施例１の配送用小冊子１０は、カタログやパンフレットなどの情報を印刷したシートとして、表側のシート１２、裏側のシート１３および表・裏側のシート１２，１３間に重ね合わせた複数枚のシート１４を有し、これらのシート１２，１４，１３のそれぞれの綴じ込み辺１２ａ，１４ａ，１３ａ側を綴じ、表側のシート１２と裏側のシート１３とのそれぞれの対面辺１２ｂ，１３ｂを連接するとともに、この連接した部位１５に表側シート１２と裏側シート１３のシートの切離しを可能とする切断開封部として切断用スリット部１６を形成している。
【００２１】
　表側のシート１２、裏側のシート１３およびこれらのシート１２，１３の間に重ね合わせた複数枚のシート１４は、一例としてそれぞれ略矩形状に形成されている。これらのシート１２，１３，１４には、一例として商品情報が印刷されている。
【００２２】
　表側のシート１２と裏側のシート１３との対面辺１２ｂ，１３ｂを連接した部位１５は、裏側のシート１３の対面辺１３ｂに折曲部１７を備え、この折曲部１７を表側のシート１２の対面辺１２ｂに重ね合わせるように折り曲げ、表側のシート１２の対面辺１２ｂに折曲部１７の先端１７ａを貼着させることにより構成されている。
　この折曲部１７には、先端１７ａから離れた部位、すなわち対面辺１２ｂに貼着されていない部位に切断用スリット部１６が形成されている。
【００２３】
　切断用スリット部１６は、一対の切断孔部１６ａを一定間隔を存して平行に形成し、一対の切断孔部１６ａと一対の非切断開封部１６ｂとを交互に繰り返すように形成されている。
　切断用スリット部１６を切り取る際には、図２に示すように一対の切断孔部１６ａを利用しながら一対の非切断開封部１６ｂを次々に切り離す。
【００２４】
　実施例１の配送用小冊子１０によれば、表側のシート１２の対面辺１２ｂと裏側のシート１３の対面辺１３ｂを連接することで、配送用小冊子１０を開かないように保つことができ、配送用小冊子１０を封筒（図示せず）に入れないで、例えば表側のシート１２に宛先を書いた用紙１９を貼り付けて、宅配便などで郵送することが可能となる。
　このように、配送用小冊子１０を封筒に入れないで郵送することで、例えば郵送料金を減らすことができる。
【００２５】
　さらに、表側のシート１２と裏側のシート１３との連接した部位１５に、切離し可能な切断用スリット部１６を形成した。よって、配送用小冊子１０を受け取った際には、図２に示すように連接した部位１５から切断用スリット部１６を開封するだけで、表側のシート１２と裏側のシート１３とのそれぞれの対面辺１２ｂ，１３ｂを切り離すことができるようになる。
　これにより、図３に示すように配送用小冊子１０を簡単に開いて、小冊子から成るカタログやパンフレットを気軽に見ることができる。
【００２６】
　また、折曲部１７を折り曲げて表側のシート１２の対面辺１２ｂに貼着させることで、例えば郵送中に、表側のシート１２と裏側のシート１３とを確実に貼着させた状態に保ち、表側のシート１２および裏側のシート１３がみだりに開くことを防止できる。
　さらに、切断開封部を切断用スリット部１６にすることで、配送用小冊子１０を開く際には、ハサミなどを用いなくても切断用スリット部１６を簡単に破くことができる。
【００２７】
　なお、実施例１では、裏側のシート１３の対面辺１３ｂに折曲部１７を備え、この折曲部１７を表側のシート１２の対面辺１２ｂに重ね合わせるように折り曲げ、表側のシート１２の対面辺１２ｂに折曲部１７の先端１７ａを貼着させた例について説明したが、これに限られることなく、表側のシート１２の対面辺１２ｂに折曲部（図示せず）を備え、この折曲部を裏側のシート１３の対面辺１３ｂに重ね合わせるように折り曲げ、裏側のシート１３の対面辺１３ｂに折曲部の先端を貼着させても同様の効果を得ることができる。
【００２８】
　次に、第２〜第３実施例について説明する。なお、第２〜第３実施例の配送用小冊子において第１実施例の配送用小冊子１０と同一部材については同一符号を付して説明を省略する。
【実施例２】
【００２９】
　図４に示す実施例２の配送用小冊子２０は、カタログやパンフレットなどの情報を印刷したシートとして、表側のシート１２、裏側のシート１３および表・裏側のシート１２，１３間に重ね合わせた複数枚のシート１４を有し、これらのシート１２，１４，１３のそれぞれの綴じ込み辺１２ａ，１４ａ，１３ａ側を綴じ、表側のシート１２と裏側のシート１３とのそれぞれの対面辺１２ｂ，１３ｂを一体的に連接するとともに、この連接した部位２５に切離し可能な切断開封部としてミシン目２６を形成している。
【００３０】
　すなわち、実施例２の配送用小冊子２０は、表・裏側のシート１２，１３の対面辺１２ｂ，１３ｂを連接した部位２５や、切断開封部としてミシン目２６を採用したことを特徴とし、その他の構成は実施例１の配送用小冊子１０と同じである。
【００３１】
　連接した部位２５は、表側のシート１２および裏側のシート１３のそれぞれの対面辺１２ａ，１３ｂに、その他のシート１４の対面辺１４ｂより張り出した張出部２７，２８を備え、それぞれの張出部２７，２８を重ね合わせて貼着させることにより構成され、ミシン目２６が、張出部２７，２８の基端側、すなわち貼着された部位から外れた部位に形成されている。
【００３２】
　ミシン目２６は、切断孔部２６ａを一定間隔を存して連続的に形成することで、切断孔部２６ａと非切断開封部２６ｂとを交互に繰り返すように形成されている。
　ミシン目２６を切り取る際には、図５に示すように、切断孔部２６ａを利用しながら非切断開封部２６ｂを次々と切り離すことにより、ミシン目２６を簡単に連続切断できる。
【００３３】
　実施例２の配送用小冊子２０によれば、表側のシート１２および裏側のシート１３のそれぞれの端部１２ｂ，１３ｂを張出部２７，２８を重ね合わせて貼着させることで、例えば郵送中に、表側のシート１２と裏側のシート１３とを確実に連接した状態に保ち、表側のシート１２および裏側のシート１３がみだりに開くことを防止できる。
【００３４】
　また、配送用小冊子２０を受け取った際には、図５に示すように連接した部位２５をミシン目２６で開封するだけで、表側のシート１２と裏側のシート１３とのそれぞれの対面辺１２ｂ，１３ｂを切り離すことができる。
　これにより、図６に示すように配送用小冊子２０を簡単に開いて、カタログやパンフレットを気軽に見ることができる。
　さらに、実施例２の配送用小冊子２０によれば、実施例１の配送用小冊子と同様の効果を得ることができる。
【実施例３】
【００３５】
　図７に示す実施例３の配送用小冊子３０は、カタログやパンフレットなどの情報を印刷したシートとして、表側のシート１２、裏側のシート１３および表・裏側のシート１２，１３間に重ね合わせた複数枚のシート１４を有し、これらのシート１２，１４，１３のそれぞれの綴じ込み辺１２ａ，１４ａ，１３ａ側を綴じ、表側のシート１２と裏側のシート１３とのそれぞれの対面辺１２ｂ，１３ｂを一体的に連接するとともに、この連接した部位３５に切離し可能な切断開封部としてミシン目３６を形成している。
【００３６】
　すなわち、実施例３の配送用小冊子３０は、表・裏側のシート１２，１３の対面辺１２ｂ，１３ｂを連接した部位３５や、切断開封部としてミシン目３６を採用したことを特徴とし、その他の構成は実施例１の配送用小冊子１０と同じである。
【００３７】
　連接した部位３５は、表側のシート１２および裏側のシート１３のそれぞれの対面辺１２ｂ，１３ｂを一枚のシートを折り曲げて形成し、この折り曲げた部位で構成され、折り曲げた部に沿ってミシン目３６が形成されている。
【００３８】
　このミシン目３６は、実施例２のミシン目２６と同様に、切断孔部３６ａを一定間隔を存して連続的に形成することで、切断孔部３６ａと非切断開封部３６ｂとを交互に繰り返すように形成されている。
【００３９】
　ミシン目３６を開封する際には、図８に示すように、例えばペーパナイフ３８などで切断孔部３６ａを利用しながら非切断開封部３６ｂを次々と切り離すことにより、ミシン目３６を簡単に連続切断できる。
　なお、ミシン目３６はペーパナイフ３８を使用しないで、手で切断孔部３６ａを利用しながら非切断開封部３６ｂを次々と切り離して、ミシン目３６を開封することも可能である。
【００４０】
　実施例３の配送用小冊子３０によれば、表側のシート１２および裏側のシート１３のそれぞれの対面辺１２ｂ，１３ｂを一枚のシートを折り曲げて連接した部位３５を形成することで、例えば郵送中に、表側のシート１２と裏側のシート１３とを確実に連接した状態に保ち、表側のシート１２および裏側のシート１３がみだりに開くことを防止している。
【００４１】
　さらに、切断開封部をミシン目３６にすることで、配送用小冊子３０を開く際には、ペーパナイフや手などで簡単に破くだけで、表側のシート１２と裏側のシート１３とのそれぞれの対面辺１２ｂ，１３ｂを切り離すことができる。
　これにより、図９に示すように配送用小冊子３０を簡単に開いて、カタログやパンフレットを気軽に見られるようになる。
　また、実施例３の配送用小冊子３０によれば、実施例１の配送用小冊子と同様の効果を得ることができる。
【００４２】
　なお、前記各実施例では、配送用小冊子１０，２０，３０を矩形状に形成した例について説明したが、これに限られることなく、その他の形状の配送用小冊子とすることももちろん可能である。
【産業上の利用可能性】
【００４３】
　各種の配送用の封筒類として、またカタログ、パンフレットをそのまま配送用のものに仕立て上げる際に適用できる。
【図面の簡単な説明】
【００４４】
【図１】本考案に係る実施例１の配送用小冊子を示す斜視図である。
【図２】本考案に係る実施例１の配送用小冊子を開封する例を示す斜視図である。
【図３】本考案に係る実施例１の配送用小冊子を開いた状態を示す斜視図である。
【図４】本考案に係る実施例２の配送用小冊子を示す斜視図である。
【図５】本考案に係る実施例２の配送用小冊子を開封する例を示す斜視図である。
【図６】本考案に係る実施例２の配送用小冊子を開いた状態を示す斜視図である。
【図７】本考案に係る実施例３の配送用小冊子を示す斜視図である。
【図８】本考案に係る実施例３の配送用小冊子を開封する例を示す斜視図である。
【図９】本考案に係る実施例３の配送用小冊子を開いた状態を示す斜視図である。
【符号の説明】
【００４５】
　１０，２０，３０…配送用小冊子
　１２…表側のシート
　１２ｂ…表側のシートの他辺
　１３…裏側のシート
　１３ｂ…裏側のシートの対面辺
　１４…シート
　１５，２５，３５…連接した部位
　１６…切断用スリット部（切断開封部）
　１７…折曲部
　１７ａ…折曲部の先端
　２６，３６…ミシン目（切断開封部）
【図１】
0003099376.tif 000003
【図２】
0003099376.tif 000004
【図３】
0003099376.tif 000005
【図４】
0003099376.tif 000006
【図５】
0003099376.tif 000007
【図６】
0003099376.tif 000008
【図７】
0003099376.tif 000009
【図８】
0003099376.tif 000010
【図９】
0003099376.tif 000011